(57)【特許請求の範囲】
【請求項１】
再生用空気吸込口から吸い込んだ空気を再生ヒーターで加熱して除湿ローターに吹き付け該除湿ローターを再生させる再生風路を有する除湿装置、を備えた室において、
該室のドア枠の内側にドアが閉止された状態において該ドアの室外側となる前記ドア枠の内側面下端側に開口する前記再生用空気吸込口を設け、ドア枠から前記再生風路内に室外の空気を取り入れるように構成したこと
を特徴とする屋内用除湿装置。
【請求項２】
前記ドア枠に、着脱可能にフィルターを設けたことを特徴とする請求項１に記載の屋内用除湿装置。
【発明の詳細な説明】
【技術分野】
【０００１】
本発明は、屋内用の除湿装置に関するものである。
【背景技術】
【０００２】
従来、この種の屋内用除湿装置として、特許文献１に開示されているように、除湿モードの際に、脱衣室の空気が再生用空気として利用されるものがある。
【先行技術文献】
【特許文献】
【０００３】
【特許文献１】特開２００８−２７５２６８号公報
【発明の概要】
【発明が解決しようとする課題】
【０００４】
上記特許文献１に開示されている屋内用除湿装置のように、脱衣室の空気を再生用空気として利用する場合、脱衣室の天井に穴を開けて再生風取入口を設けることとなり、建築側の工事が必要となるという問題点があった。
【課題を解決するための手段】
【０００５】
本発明は、建築側への工事が不要な屋内用除湿装置の提供を目的とし、この目的を達成するために以下の手段を採った。
本発明は、再生用空気吸込口から吸い込んだ空気を再生ヒーターで加熱して除湿ローターに吹き付け該除湿ローターを再生させる再生風路を有する除湿装置、を備えた室において、
該室のドア枠の内側にドアが閉止された状態において該ドアの室外側となる前記ドア枠の内側面下端側に開口する前記再生用空気吸込口を設け、ドア枠から前記再生風路内に室外の空気を取り入れるように構成したことを要旨とする。
【発明の効果】
【０００６】
本発明では、ドアの室外側となる室のドア枠の内側面下端側に再生用空気吸込口を設け、ドア枠から再生風路内に空気を取り入れるものであるため、建築側への工事の必要がなくなり、ドア枠を利用して良好に除湿装置の再生風路内に室外の空気を取り入れることができるものとなる。
【０００７】
また、本発明の屋内用除湿装置において、前記ドア枠に、着脱可能にフィルターを設けた構成とすることもできる。
こうすれば、フィルターを通して再生風路内に吸い込む空気内のゴミ等を良好に除去することができるものとなる。また、フィルターは適宜着脱して交換が容易なものとなる。
【図面の簡単な説明】
【０００８】
【図１】除湿装置を備えた浴室の斜視構成図である。
【図２】除湿装置の内部構造の概略構成図である。
【図３】浴室のドア枠の再生用空気吸込口付近の拡大斜視図である。
【図４】ドア枠の再生用空気吸込口の平面断面拡大構成図である。
【図５】再生用空気吸込口に吸込口取付部材を取り付ける前の分解要部斜視構成図である。
【図６】吸込口取付部材の拡大斜視構成図である。
【図７】再生用空気吸込口に、フィルターと吸込口取付部材を取り付ける前の分解要部斜視構成図である。
【図８】別例のフィルターの拡大斜視構成図である。
【図９】図８のフィルターを再生用空気吸込口に取り付けた状態の要部斜視構成図である。
【図１０】除湿装置の設置場所の異なる別例の浴室の斜視構成図である。
【発明を実施するための形態】
【０００９】
次に、本発明を実施するための形態を実施例を用いて説明する。
図１は、浴室の斜視構成図であり、浴室１の天井１ａには、下面側に吸込口４ａと吹出口４ｂを有する除湿装置４が設置されている。
この浴室１のドア２の外周部材であるドア枠３の上端には、連結部材５を介して天井裏の再生空気取入配管６が接続され、この再生空気取入配管６は除湿装置４に接続されている。また、除湿装置４から屋外に連通する排出管７が天井裏に配管されている。
【００１０】
除湿装置４は、図２に内部概略構成図を示すが、除湿装置４の内部には、循環風路８と再生風路１１が別個に設けられている。
循環風路８内には、除湿ローター９と循環ファン１０が配置されており、循環ファン１０が回転することで、浴室１内の空気を吸込口４ａから吸い込み、除湿ローター９を通すことにより、空気中の水分が除湿ローター９に吸着されて、乾いた空気となって再び吹出口４ｂから浴室１内に吹き出され、浴室１内を除湿することができるものである。
【００１１】
この除湿運転時に、再生風路１１内に設けられた小型の再生ファン１２が回転される。
再生風路１１内には、除湿ローター９の一部が配置され、その上流側にはヒーター１３が配置されており、再生風路１１の下流端に前記排出管７が接続されている。
再生ファン１２が回転することで再生空気取入配管６から、例えば脱衣室内の空気を吸い込み、ヒーター１３を通して加熱した空気として除湿ローター９に吹き付けることで、除湿ローター９内の水分が除去され、水蒸気を含んだ空気となって排出管７を通り屋外に排出されるように構成されている。
【００１２】
本例では、再生空気取入配管６は連結部材５を介してドア枠３の上端に連通接続されており、図３にドア枠付近を拡大して示すように、ドア枠３内が風路Ｒとなって、風路Ｒの下端側、即ちドア枠３の下端側に、縦長状に再生用空気吸込口３０ｃが開口されたものとなっている。
この再生用空気吸込口３０ｃの部分を水平方向に切断した拡大断面図を図４に示す。
【００１３】
即ち、ドア枠３は、内側に縦方向に延びる風路Ｒを形成した風路部３０と、建築側固定部３１と、ユニット壁固定部３２が一体形成されており、風路部３０を構成する仕切板３０ａにより風路Ｒとユニット壁固定部３２が仕切られており、また、仕切板３０ｂにより風路Ｒと建築側固定部３１が仕切られたものとなっている。
建築側固定部３１は、建築壁１４に固定ネジ１７を介して取付固定されるものであり、ユニット壁固定部３２は、固定ネジ１６を介してユニット壁１５に取付固定されるものである。
【００１４】
このドア枠３の内側にドア２が当接してドア２が閉止されるが、ドア２が閉止された状態において、ドア２の室外側に、風路Ｒと連通する再生用空気吸込口３０ｃが開口するように、再生用空気吸込口３０ｃが位置決めされており、この再生用空気吸込口３０ｃから、浴室１の隣室である脱衣室あるいは洗面室内の空気を風路Ｒ内に吸い込んで、風路Ｒ内を通して、連結部材５から再生空気取入配管６を通し、脱衣室あるいは洗面室内の空気を再生用空気として除湿装置４の再生風路１１内に吸い込むことができるものである。
【００１５】
なお、このドア枠３の下端側に開口された再生用空気吸込口３０ｃには、着脱可能に吸込口取付部材１８が取り付けられるものであり、吸込口取付部材１８の取り付け前の分解図は図５に示し、取り付け完了後の状態は図３に示す。
吸込口取付部材１８には、図６に拡大して示すように、上下方向に間隔をおいて、横長のスリット窓１８ａが複数貫通形成されている。
【００１６】
なお、図７に示すように、吸込口取付部材１８のスリット窓１８ａの内側に、別体のフィルター１９を嵌め込んで構成することもできる。
この場合は、再生用空気を吸い込む際に、複数のスリット窓１８ａから空気が吸い込まれると、フィルター１９により空気中のゴミが良好に除去されるものである。
なお、定期的に吸込口取付部材１８を取り外してフィルター１９を交換することができる。
【００１７】
図８は、フィルター１９の変更例であり、図８では、外周を構成する枠体１９ａに一体でフィルター１９を取り付けて構成したものであり、このようなフィルター１９が一体化された枠体１９ａを、図９に示すように、再生用空気吸込口３０ｃに着脱可能に嵌め込んで構成することもでき、フィルター１９により、吸い込む空気中のゴミを良好に除去することができるものである。
【００１８】
なお、図１０は、別例を示す浴室１の斜視構成図であり、図１０では、浴室１の天井１ａのドア２の上部位置に除湿装置４を設置したものであり、このような除湿装置４の設置状態では、ドア枠３内の風路Ｒを通して吸い込んだ空気を、除湿装置４の再生風路１１内に直接導くことができ、連結部材５および再生空気取入配管６を省略することができるものとなる。
なお、図中２０は、除湿装置４からの空気を浴室１内に吹き出すための吹出管であるが、吹出管２０をなくして、除湿装置４本体から直接空気を吹き出すようにしても良い。
【００１９】
このように本発明においては、ドア枠３に、室外に開口する再生用空気吸込口３０ｃを設けて、ドア枠３内の風路Ｒを通して除湿装置４の再生風路１１内に室外の空気を良好に取り入れることができ、従来のように、浴室１とは異なる部屋に別途、再生用の空気吸込口を設ける必要がなく、建築側の工事も不要となり、施工が容易なものとなる。
【００２０】
なお、本例では、浴室１に除湿装置４を設置した場合を例示しているが、浴室に限らず屋内のその他の部屋、例えばトイレや洗面室や地下室などにおいても、同様にドア枠に再生用空気吸込口を設けて除湿装置４を設置することができるものである。また、ドア枠の再生用空気吸込口は、除湿装置４の再生用空気吸込口としてだけでなく、他室換気の副吸込口として利用することもできる。
【符号の説明】
【００２１】
１  浴室
１ａ  天井
２  ドア
３  ドア枠
４  除湿装置
４ａ  吸込口
４ｂ  吹出口
５  連結部材
６  再生空気取入配管
７  排出管
８  循環風路
９  除湿ローター
１０  循環ファン
１１  再生風路
１２  再生ファン
１３  ヒーター
１４  建築壁
１５  ユニット壁
１６，１７  固定ネジ
１８  吸込口取付部材
１８ａ  スリット窓
１９  フィルター
１９ａ  枠体
３０  風路部
３０ａ，３０ｂ  仕切板
３０ｃ  再生用空気吸込口
３１  建築側固定部
３２  ユニット壁固定部
Ｒ  風路
【図１】
0005660874.tif 000002
【図２】
0005660874.tif 000003
【図３】
0005660874.tif 000004
【図４】
0005660874.tif 000005
【図５】
0005660874.tif 000006
【図６】
0005660874.tif 000007
【図７】
0005660874.tif 000008
【図８】
0005660874.tif 000009
【図９】
0005660874.tif 000010
【図１０】
0005660874.tif 000011